(57)【要約】【課題】吸排気バルブとバルブシートとの間にデポジットが噛み込んだ場合にあっても、エンジン停止前に当該デポジットを除去することができるエンジンの制御方法及びエンジンの制御装置を提供する。【解決手段】エンジンを制御するＰＣＭは、燃料噴射量がゼロであるタイミングｔ１２以降にデポジットの噛み込みの有無を判定する。ＰＣＭは、デポジットの噛み込み有りと判定した場合に、アイドルストップの実行を禁止する（タイミングｔ１３以降）。ＰＣＭは、タイミングｔ１６において、デポジットの噛み込みが解消されたと判定した場合には、アイドルストップの実行を許可する。タイミングｔ１４〜タイミングｔ１６の間には、アイドルストップが禁止されることにより、燃焼室に対して燃料噴射が実行され、これによって筒内圧の増大を図り、デポジットの除去を図ることができる。【選択図】図８
2018184888.tif 000002
【特許請求の範囲】
【請求項１】
エンジンの制御方法において、
吸気バルブ及び排気バルブのすくなとも一方と、バルブシートとの間へのデポジットの噛み込みの有無を判定するデポジット付着判定ステップと、
前記エンジンのアイドルストップの実行を制御するアイドルストップ制御ステップと、
を備え、
前記デポジット付着判定ステップでは、前記デポジットの噛み込み有りと判定した場合に、前記アイドルストップの実行を抑制する、
エンジンの制御方法。
【請求項２】
請求項１記載のエンジンの制御方法であって、
燃料噴射弁の開閉動作を実行する噴射弁開閉ステップを、さらに備え、
前記デポジット付着判定ステップでは、クランク角センサからのクランク角速度情報に基づき、前記デポジットの噛み込みの有無の判定を実行するとともに、当該判定を、前記噴射弁開閉ステップにおいて前記燃料噴射弁の閉状態が継続中であるときに取得した前記クランク角速度情報を用い実行する、
エンジンの制御方法。
【請求項３】
請求項１又は請求項２記載のエンジンの制御方法であって、
前記デポジット付着判定ステップで前記デポジットの噛み込み有りと判定した場合には、前記アイドルストップ制御ステップで前記アイドルストップの実行を禁止する、
エンジンの制御方法。
【請求項４】
請求項１又は請求項２記載のエンジンの制御方法であって、
前記アイドルストップ制御ステップは、
前記デポジット付着判定ステップで前記デポジットの噛み込み無しと判定した場合に、車両の車速がゼロになる前の第１車速以下の速度域でアイドルストップを実行する第１車速アイドルストップサブステップと、
前記デポジット付着判定ステップで前記デポジットの噛み込み有りと判定した場合に、前記車両の車速がゼロになる前であって、前記第１車速よりも低速の第２車速以下の速度域でアイドルストップを実行する第２車速アイドルストップサブステップと、
を有する、
エンジンの制御方法。
【請求項５】
請求項１から請求項４の何れか記載のエンジンの制御方法であって、
前記デポジット付着判定ステップで前記デポジットの噛み込み有りと判定した場合には、前記デポジットの噛み込みの有無の判定を継続し、
前記デポジット付着判定ステップで前記デポジットの噛み込み無しと判定した場合には、前記アイドルストップ制御ステップで前記アイドルストップの実行を許可する、
エンジンの制御方法。
【請求項６】
請求項１から請求項５の何れか記載のエンジンの制御方法であって、
アクセルオフに伴う燃料噴射のカットを、エンジン回転数が第１回転数以上である場合に実行し、
前記デポジット付着判定ステップでは、前記エンジン回転数が前記第１回転数以上である場合に、前記デポジットの噛み込みの有無の判定を実行し、
前記デポジット付着判定ステップで前記デポジットの噛み込み有りと判定した場合において、前記エンジン回転数が前記第１回転数よりも高い第２回転数以上である場合に前記燃料噴射のカットの解除を実行する、
エンジンの制御方法。
【請求項７】
請求項１から請求項６の何れか記載のエンジンの制御方法であって、
前記エンジンは、圧縮着火式のエンジンである、
エンジンの制御方法。
【請求項８】
エンジンの制御装置において、
前記エンジンのアイドルストップを実行可能なアイドルストップ機構と、
前記アイドルストップ機構の制御を実行する制御部と、
を備え、
前記制御部は、吸気バルブ及び排気バルブのすくなとも一方と、バルブシートとの間へのデポジットの噛み込み有りと判定した場合に、前記アイドルストップの実行を抑制する、
エンジンの制御装置。
【請求項９】
請求項８記載のエンジンの制御装置であって、
開閉動作により前記エンジンの燃焼室への燃料噴射量を調節する燃料噴射弁と、
前記エンジンのクランク角速度を検出するクランク角センサと、をさらに備え、
前記制御部は、前記燃料噴射弁の閉状態が継続中であるときに取得したクランク角センサからのクランク角速度情報を用い、前記デポジットの噛み込みの有無の判定を実行する、
エンジンの制御装置。
【請求項１０】
請求項８又は請求項９記載のエンジンの制御装置であって、
前記制御部は、前記デポジットの噛み込み有りと判定した場合に、前記アイドルストップの実行を禁止する、
エンジンの制御装置。
【請求項１１】
請求項８又は請求項９記載のエンジンの制御装置であって、
前記制御部は、前記デポジットの噛み込み無しと判定した場合に、車両の車速がゼロになる前の第１車速以下の速度域で前記アイドルストップを実行し、前記デポジットの噛み込み有りと判定した場合に、前記車両の車速がゼロになる前であって、前記第１車速よりも低速の第２車速以下の速度域で前記アイドルストップを実行する、
エンジンの制御装置。
【請求項１２】
請求項８から請求項１１の何れか記載のエンジンの制御装置であって、
前記制御部は、前記デポジットの噛み込み有りと判定した場合に、前記デポジットの噛み込みの有無の判定を継続し、前記デポジットの噛み込み無しと判定した場合に、前記アイドルストップの実行を許可する、
エンジンの制御装置。
【請求項１３】
請求項８から請求項１２の何れか記載のエンジンの制御装置であって、
前記制御部は、アクセルオフに伴う燃料噴射のカットを、エンジン回転数が第１回転数以上である場合に実行し、前記エンジン回転数が前記第１回転数以上である場合に、前記デポジットの噛み込みの有無の判定を実行し、前記デポジットの噛み込み有りと判定した場合において、前記エンジン回転数が前記第１回転数よりも高い第２回転数以上である場合に前記燃料噴射のカットの解除を実行する、
エンジンの制御装置。
【請求項１４】
請求項８から請求項１３の何れか記載のエンジンの制御装置であって、
前記エンジンは、圧縮着火式のエンジンである、
エンジンの制御装置。
【請求項１５】
エンジンの制御装置において、
前記エンジンのアイドルストップを実行可能なアイドルストップ機構と、
前記エンジンのクランク角速度を検出するクランク角センサと、
前記クランク角センサからの前記クランク角速度情報を受け付けるとともに、前記アイドルストップ機構の制御を実行する制御部と、
を備え、
前記制御部は、前記クランク角速度情報を基とする、前記エンジンにおける圧縮行程中での所定のクランク角範囲の通過に要する第１通過時間と、前記エンジンにおける前記圧縮行程後での所定のクランク角範囲の通過に要する第２通過時間との比が、所定の閾値以下である場合に、前記アイドリングストップの実行を抑制する、
エンジンの制御装置。
【発明の詳細な説明】
【技術分野】
【０００１】
本発明は、エンジンの制御方法及びエンジンの制御装置に関し、特に、エンジンにおける吸排気バルブとバルブシートとの間に噛み込んだデポジットを除去するための技術に関する。
【背景技術】
【０００２】
エンジンは、燃焼室内に燃料と空気とを送り込み、燃焼室内で生じる燃焼により駆動される。エンジンにおいては、吸気バルブとバルブシートとの間にデポジットが噛み込むことがある。例えば、特許文献１には、吸気通路に付着したデポジットが何らかの拍子に剥がれ、燃焼室方向に流れ、吸気バルブとバルブシートの間に噛み込むことがあるとの記載がなされている。
【０００３】
吸気バルブとバルブシートとの間にデポジットが噛み込んだ場合には、圧縮漏れを起こすことになり、着火不良の原因となる。
【０００４】
なお、デポジットの噛み込みは、ガソリンエンジンで生じた場合にも影響を及ぼすことになるが、特にディーゼルエンジンの場合には、影響が大きい。即ち、ディーゼルエンジンでは、圧縮着火を行うため、デポジットの噛み込みにより圧縮漏れを生じたままエンジンを停止した場合、エンジンの再始動が困難となるおそれがある。
【先行技術文献】
【特許文献】
【０００５】
【特許文献１】特開２０１５−１１７６６１号公報
【発明の概要】
【発明が解決しようとする課題】
【０００６】
しかしながら、従来においては、吸気バルブとバルブシートとの間に噛み込んだデポジットを除去する効果的な技術は未だ開発されていないのが現状である。なお、上記特許文献１には、吸気バルブとバルブシートとの間にデポジットが付着し易い運転条件を予め把握しておき、当該運転条件では、ポートインジェクタの噴射量を少なくする、との技術は開示されているが、付着してしまった（噛み込んでしまった）デポジットを除去する技術については、何ら開示していない。
【０００７】
なお、上記では、吸気バルブとバルブシートとの間へのデポジットの噛み込みについて説明したが、排気バルブとバルブシートとの間についても、吸気バルブと同様に、デポジットが噛み込むことがあり、その場合には同様の問題を生じ得る。
【０００８】
本発明は、上記のような問題の解決を図ろうとなされたものであって、吸排気バルブとバルブシートとの間にデポジットが噛み込んだ場合にあっても、エンジンの停止前に当該デポジットを除去することができるエンジンの制御方法及びエンジンの制御装置を提供することを目的とする。
【課題を解決するための手段】
【０００９】
本発明の一態様に係るエンジンの制御方法は、吸気バルブ及び排気バルブのすくなとも一方と、バルブシートとの間へのデポジットの噛み込みの有無を判定するデポジット付着判定ステップと、前記エンジンのアイドルストップの実行を制御するアイドルストップ制御ステップと、を備える。そして、本態様に係るエンジンの制御方法では、前記デポジット付着判定ステップで前記デポジットの噛み込み有りと判定した場合には、前記アイドルストップ制御ステップで前記アイドルストップの実行を抑制する。
【００１０】
上記態様に係るエンジンの制御方法では、デポジットの噛み込み有りと判定した場合には、アイドルストップの実行を抑制し、エンジンの回転状態を維持することとしているので、エンジンの筒内圧を利用してデポジットの除去が可能である。
【００１１】
また、上記態様に係るエンジンの制御方法では、デポジットの噛み込み有りと判定した場合、アイドルストップの実行を抑制し、エンジンの停止を抑制し、エンジンの停止までの間にデポジットの除去を図ることとしているので、エンジンを停止後、再始動する際の始動性を良好なものとすることができる。即ち、デポジットを噛み込んだ状態でエンジンを停止してしまうと、圧縮漏れを生じた状態で再始動を図ることとなり、再始動性が低下したり、再始動できなったりするおそれがある。
【００１２】
これに対して、上記態様に係るエンジンの制御方法では、アイドルストップの実行を抑制してデポジット除去を図った後に、エンジンを停止することができ、圧縮漏れによるエンジンの再始動性の低下を抑制することができる。
【００１３】
従って、上記態様に係るエンジンの制御方法では、吸排気バルブとバルブシートとの間にデポジットが噛み込んだ場合にあっても、エンジンの停止前に当該デポジットを除去することができる。
【００１４】
ここで、本明細書において「アイドルストップ」との用語は、所定のエンジン停止条件の成立時において、エンジンを自動停止させ、エンジン自動停止状態で所定の再始動条件の成立時において、エンジンを再始動させる方法及び機構を指す。なお、上記の「アイドルストップ」との用語の代わりに、「アイドリングストップ」あるいは「停車時エンジン停止」との用語を用いられることもあるが、本明細書では「アイドルストップ」との用語を、これら用語と同義の用語として用いる。
【００１５】
本発明の別態様に係るエンジンの制御方法は、上記態様において、燃料噴射弁の開閉動作を実行する噴射弁開閉ステップを、さらに備える。そして、本態様に係るエンジンの制御方法において、前記デポジット付着判定ステップでは、クランク角センサからのクランク角速度情報に基づき、前記デポジットの噛み込みの有無の判定を実行するとともに、当該判定を、前記噴射弁開閉ステップにおいて前記燃料噴射弁の閉状態が継続中であるときに取得した前記クランク角速度情報を用い実行する。
【００１６】
上記態様に係るエンジンの制御方法では、デポジット付着判定ステップにおいて、クランク角センサからのクランク角速度情報に基づいてデポジットの噛み込みの有無を判定するので、高い精度でのデポジット噛み込み判定が実行できる。即ち、気筒内に設けた圧力センサからの圧力情報に基づきデポジットの噛み込みの有無を判定する場合などに比べて、上記態様に係るエンジンの制御方法では、微小なデポジットが噛み込んだ場合にも高精度に判定がなされる。
【００１７】
また、上記態様に係るエンジンの制御方法では、燃料噴射弁の閉状態が継続中であるときに取得したクランク角速度情報を用いデポジットの噛み込みの有無を判定するので、燃焼によるトルク変動の影響を受けず、微小量のデポジットであっても高精度に検出することができる。ここで、微小量のデポジットの有無を検出できれば、早期にデポジット除去を実行することにより、圧縮漏れによる着火不良を未然に防ぐことができる。このような微小量のデポジットを検出するためには、燃焼によるトルク変動の影響を抑えるか無くすことが重要となる。この点において、上記態様に係るエンジンの制御方法は、優れている。
【００１８】
本発明の別態様に係るエンジンの制御方法は、上記態様において、前記デポジット付着判定ステップで前記デポジットの噛み込み有りと判定した場合には、前記アイドルストップ制御ステップで前記アイドルストップの実行を禁止する。
【００１９】
上記態様に係るエンジンの制御方法では、デポジット付着判定ステップにおいて、デポジットの噛み込み有りと判定した場合に、アイドルストップ制御ステップにおいて、アイドルストップの実行を禁止することとしているので、噛み込んでしまったデポジットを燃焼圧（筒内圧）により押し潰す機会を増やすことができる。よって、上記態様に係るエンジンの制御方法では、デポジットの除去をより確実に行うことができ、圧縮不良による再始動失敗を抑制することができる。
【００２０】
本発明の別態様に係るエンジンの制御方法は、上記態様において、前記アイドルストップ制御ステップは、前記デポジット付着判定ステップで前記デポジットの噛み込み無しと判定した場合に、車両の車速がゼロになる前の第１車速以下の速度域でアイドルストップを実行する第１車速アイドルストップサブステップと、前記デポジット付着判定ステップで前記デポジットの噛み込み有りと判定した場合に、前記車両の車速がゼロになる前であって、前記第１車速よりも低速の第２車速以下の速度域でアイドルストップを実行する第２車速アイドルストップサブステップと、を有する。
【００２１】
従来より、車速が所定の速度以下となった時点からアイドルストップを実行する車両が開発されている。
【００２２】
これに対して、上記態様に係るエンジンの制御方法では、デポジットの噛み込みが有りと判定した場合に、噛み込みがないと判定した場合のアイドルストップ実行車速（第１車速）よりも低速の、第２車速以下の速度域でアイドルストップを実行することとしている。即ち、上記態様に係るエンジンの制御方法では、デポジットの噛み込みが有る場合には、より低速側までアイドルストップの実行を遅らせ、気筒内での燃焼の機会を増やすこととしている。よって、上記態様に係るエンジンの制御方法では、燃焼圧（筒内圧）によりデポジット除去の促進を図ることができ、圧縮不良による再始動失敗を抑制することができる。
【００２３】
本発明の別態様に係るエンジンの制御方法は、上記態様において、前記デポジット付着判定ステップで前記デポジットの噛み込み有りと判定した場合には、前記デポジットの噛み込みの有無の判定を継続し、前記デポジット付着判定ステップで前記デポジットの噛み込み無しと判定した場合には、前記アイドルストップ制御ステップで前記アイドルストップの実行を許可する。
【００２４】
上記態様に係るエンジンの制御方法では、デポジット付着判定ステップでデポジットの噛み込み有りと判定した場合に、デポジットの噛み込みの有無の判定を継続するので、累積的に付着するデポジットについても早期に検出することができ、圧縮不良による再始動失敗を抑制することができる。
【００２５】
また、上記態様に係るエンジンの制御方法では、デポジット付着判定ステップでデポジットの噛み込み無しと判定した場合に、アイドルストップ制御ステップでアイドルストップの実行を許可するので、燃費性能の向上、及び環境負荷の低減を図ることができる。
【００２６】
本発明の別態様に係るエンジンの制御方法は、上記態様において、アクセルオフに伴う燃料噴射のカットを、エンジン回転数が第１回転数以上である場合に実行し、前記デポジット付着判定ステップでは、前記エンジン回転数が前記第１回転数以上である場合に、前記デポジットの噛み込みの有無の判定を実行し、前記デポジット付着判定ステップで前記デポジットの噛み込み有りと判定した場合において、前記エンジン回転数が前記第１回転数よりも高い第２回転数以上である場合に前記燃料噴射のカットの解除を実行する。
【００２７】
上記態様に係るエンジンの制御方法では、デポジット付着判定ステップでデポジットの噛み込み有りと判定した場合において、エンジン回転数が第２回転数（第１回転数よりも高い回転数）以上である場合に燃料噴射のカット（フューエルカット）の解除を実行する。即ち、上記態様に係るエンジンの制御方法では、デポジットの噛み込み有りと判定した場合に、フューエルカットからの復帰タイミングを通常よりも早めることにより、燃焼圧（筒内圧）によるデポジットの押し潰しを図る機会を増やすことができる。よって、上記態様に係るエンジンの制御方法では、圧縮不良による再始動失敗をさらに確実に抑制することができる。
【００２８】
本発明の別態様に係るエンジンの制御方法は、上記態様において、前記エンジンは、圧縮着火式のエンジンである。
【００２９】
圧縮着火式のエンジンにおいては、デポジットの噛み込みにより圧縮漏れを生じたままエンジンを停止した場合、エンジンの再始動が困難となるおそれがあるが、上記態様に係るエンジンの制御方法では、上述のように、エンジンの停止前に確実にデポジットの除去を図ることができるので、圧縮着火式のエンジンを採用する場合にあっても、優れた再始動性を確保することができる。
【００３０】
本発明の一態様に係るエンジンの制御装置は、前記エンジンのアイドルストップが実行可能なアイドルストップ機構と、前記アイドルストップ機構の制御を実行する制御部と、を備える。そして、本態様に係るエンジンの制御装置では、前記制御部は、吸気バルブ及び排気バルブのすくなとも一方と、バルブシートとの間へのデポジットの噛み込み有りと判定した場合に、前記アイドルストップの実行を抑制する。
【００３１】
上記態様に係るエンジンの制御装置では、制御部が、デポジットの噛み込み有りと判定した場合に、アイドルストップの実行を抑制し、エンジンの回転状態を維持することとしているので、エンジンの筒内圧を利用してデポジットの除去が可能である。
【００３２】
また、上記態様に係るエンジンの制御装置では、制御部が、デポジットの噛み込み有りと判定した場合に、アイドルストップの実行を抑制し、エンジンの停止を抑制し、エンジンの停止までの間にデポジットの除去を図ることとしているので、エンジンを停止後、再始動する際の始動性を良好なものとすることができる。即ち、デポジットを噛み込んだ状態でエンジンを停止してしまうと、圧縮漏れを生じた状態で再始動を図ることとなり、再始動性が低下したり、再始動できなったりするおそれがある。
【００３３】
これに対して、上記態様に係るエンジンの制御装置では、アイドルストップの実行を抑制してデポジット除去を図った後に、エンジンを停止することができ、圧縮漏れによるエンジンの再始動性の低下を抑制することができる。
【００３４】
従って、上記態様に係るエンジンの制御装置では、吸排気バルブとバルブシートとの間にデポジットが噛み込んだ場合にあっても、エンジンの停止前に当該デポジットを除去することができる。
【００３５】
本発明の別態様に係るエンジンの制御装置は、上記態様において、開閉動作により前記エンジンの燃焼室への燃料噴射量を調節する燃料噴射弁と、前記エンジンのクランク角速度を検出するクランク角センサと、をさらに備える。そして、本態様に係るエンジンの制御装置では、前記制御部は、前記燃料噴射弁の閉状態が継続中であるときに取得したクランク角センサからのクランク角速度情報に基づき、前記デポジットの噛み込みの有無の判定を実行する。
【００３６】
上記態様に係るエンジンの制御装置では、制御部が、クランク角センサからのクランク角速度情報に基づいてデポジットの噛み込みの有無を判定するので、高い精度でのデポジット噛み込み判定が実行できる。即ち、気筒内に設けた圧力センサからの圧力情報に基づきデポジットの噛み込みの有無を判定する場合などに比べて、上記態様に係るエンジンの制御装置では、微小なデポジットが噛み込んだ場合にも高精度に判定がなされる。
【００３７】
また、上記態様に係るエンジンの制御装置では、制御部が、燃料噴射弁の閉状態が継続中であるときに取得したクランク角速度情報を用いデポジットの噛み込みの有無を判定するので、燃焼によるトルク変動の影響を受けず、微小量のデポジットであっても高精度に検出することができる。ここで、微小量のデポジットの有無を検出できれば、早期にデポジット除去を実行することにより、圧縮漏れによる着火不良を未然に防ぐことができる。このような微小量のデポジットを検出するためには、燃焼によるトルク変動の影響を抑えるか無くすことが重要となる。この点において、上記態様に係るエンジンの制御方法は、優れている。
【００３８】
本発明の別態様に係るエンジンの制御装置は、上記態様において、前記制御部は、前記デポジットの噛み込み有りと判定した場合に、前記アイドルストップの実行を禁止する。
【００３９】
上記態様に係るエンジンの制御装置では、制御部が、デポジットの噛み込み有りと判定した場合に、アイドルストップの実行を禁止することとしているので、噛み込んでしまったデポジットを燃焼圧（筒内圧）により押し潰す機会を増やすことができる。よって、上記態様に係るエンジンの制御装置では、デポジットの除去をより確実に行うことができ、圧縮不良による再始動失敗を抑制することができる。
【００４０】
本発明の別態様に係るエンジンの制御装置は、上記態様において、前記制御部は、前記デポジットの噛み込み無しと判定した場合に、車両の車速がゼロになる前の第１車速以下の速度域で前記アイドルストップを実行し、前記デポジットの噛み込み有りと判定した場合に、前記車両の車速がゼロになる前であって、前記第１車速よりも低速の第２車速以下の速度域で前記アイドルストップを実行する。
【００４１】
上記態様に係るエンジンの制御装置では、制御部が、デポジットの噛み込みが有りと判定した場合に、噛み込みがないと判定した場合のアイドルストップ実行車速（第１車速）よりも低速の、第２車速以下の速度域でアイドルストップを実行することとしている。即ち、上記態様に係るエンジンの制御装置では、デポジットの噛み込みが有る場合には、より低速側までアイドルストップの実行を遅らせ、気筒内での燃焼の機会を増やすこととしている。よって、上記態様に係るエンジンの制御装置では、燃焼圧（筒内圧）によりデポジット除去の促進を図ることができ、圧縮不良による再始動失敗を抑制することができる。
【００４２】
本発明の別態様に係るエンジンの制御装置は、上記態様において、前記制御部は、前記デポジットの噛み込み有りと判定した場合に、前記デポジットの噛み込みの有無の判定を継続し、前記デポジットの噛み込み無しと判定した場合に、前記アイドルストップの実行を許可する。
【００４３】
上記態様に係るエンジンの制御装置では、制御部が、デポジットの噛み込み有りと判定した場合に、デポジットの噛み込みの有無の判定を継続するので、累積的に付着するデポジットについても早期に検出することができ、圧縮不良による再始動失敗を抑制することができる。
【００４４】
また、上記態様に係るエンジンの制御装置では、制御部が、デポジットの噛み込み無しと判定した場合に、アイドルストップの実行を許可するので、燃費性能の向上、及び環境負荷の低減を図ることができる。
【００４５】
本発明の別態様に係るエンジンの制御装置は、上記態様において、前記制御部は、アクセルオフに伴う燃料噴射のカットを、エンジン回転数が第１回転数以上である場合に実行し、前記エンジン回転数が前記第１回転数以上である場合に、前記デポジットの噛み込みの有無の判定を実行し、前記デポジットの噛み込み有りと判定した場合において、前記エンジン回転数が前記第１回転数よりも高い第２回転数以上である場合に前記燃料噴射のカットの解除を実行する。
【００４６】
上記態様に係るエンジンの制御装置では、制御部が、デポジットの噛み込み有りと判定した場合において、エンジン回転数が第２回転数（第１回転数よりも高い回転数）以上である場合に燃料噴射のカット（フューエルカット）の解除を実行する。即ち、上記態様に係るエンジンの制御装置では、制御部が、デポジットの噛み込み有りと判定した場合に、フューエルカットからの復帰タイミングを通常よりも早めることにより、燃焼圧（筒内圧）によるデポジットの押し潰しを図る機会を増やすことができる。よって、上記態様に係るエンジンの制御装置では、圧縮不良による再始動失敗をさらに確実に抑制することができる。
【００４７】
本発明の別態様に係るエンジンの制御装置は、上記態様において、前記エンジンは、圧縮着火式のエンジンである。
【００４８】
上記態様に係るエンジンの制御装置では、上述のように、エンジンの停止前に確実にデポジットの除去を図ることができるので、圧縮着火式のエンジンを採用する場合にあっても、優れた再始動性を確保することができる。
【００４９】
本発明の一態様に係るエンジンの制御装置は、前記エンジンのアイドルストップを実行可能なアイドルストップ機構と、前記エンジンのクランク角速度を検出するクランク角センサと、前記クランク角センサからの前記クランク角速度情報を受け付けるとともに、前記アイドルストップ機構の制御を実行する制御部と、を備える。そして、本態様に係るエンジンの制御装置では、前記制御部は、前記クランク角速度情報を基とする、前記エンジンにおける圧縮行程中での所定のクランク角範囲の通過に要する第１通過時間と、前記エンジンにおける前記圧縮行程後での所定のクランク角範囲の通過に要する第２通過時間との比が、所定の閾値以下である場合に、前記アイドリングストップの実行を抑制する。
【００５０】
上記態様に係るエンジンの制御装置では、制御部は、上記比が上記所定の閾値以下である場合に、アイドルストップの実行を抑制するので、燃焼圧を利用したデポジットの押し潰しの機会を増やすことができる。
【００５１】
従って、上記態様に係るエンジンの制御装置では、吸排気バルブとバルブシートとの間にデポジットが噛み込んだと推定される場合にあっても、エンジンの停止前に当該デポジットを除去することができ、良好な再始動性が確保可能である。
【発明の効果】
【００５２】
上記の各態様では、吸排気バルブとバルブシートとの間にデポジットが噛み込んだ場合にあっても、エンジンの停止前に当該デポジットを除去することができる。
【図面の簡単な説明】
【００５３】
【図１】実施形態１に係るエンジン１の構成とＰＣＭ２とを示す模式図である。
【図２】制御システムの構成を示す模式図である。
【図３】エンジン本体１０の一部構成を示す模式断面図である。
【図４】クランクプレート１９の構成を示す模式斜視図である。
【図５】クランク角センサＳＮＳ１から入力されるパルス信号をクランク角の変化軸上で示す図である。
【図６】ＰＣＭ２が実行するデポジット付着判定およびデポジット除去の各制御方法を示すフローチャートである。
【図７】実施例１に係るエンジンの制御において、アイドルストップ制御と燃料噴射量等との関係を示すタイミングチャートである。
【図８】実施例２に係るエンジンの制御において、アイドルストップ制御と燃料噴射量等との関係を示すタイミングチャートである。
【図９】実施形態２における実施例３に係るエンジンの制御において、アイドルストップ制御と燃料噴射量等との関係を示すタイミングチャートである。
【図１０】実施形態２における実施例４に係るエンジンの制御において、アイドルストップ制御と燃料噴射量等との関係を示すタイミングチャートである。
【発明を実施するための形態】
【００５４】
以下では、本発明の実施形態について、図面を参酌しながら説明する。なお、以下で説明の形態は、本発明の一態様であって、本発明は、その本質的な構成を除き何ら以下の形態に限定を受けるものではない。
【００５５】
［実施形態１］
１．エンジン１の全体構成
本実施形態に係るエンジン１の全体構成について、図１を用い説明する。
【００５６】
図１に示すように、エンジン１は、エンジン本体１０を備える。本実施形態において、エンジン本体１０として多気筒（例えば、４気筒）のディーゼルエンジン（圧縮着火式エンジン）を採用している。エンジン本体１０は、複数の気筒１１ａを有するシリンダブロック１１と、当該シリンダブロック１１上に配設されたシリンダヘッド１２と、シリンダブロック１１下に配設されたオイルパン１３と、を有している。なお、図１では、エンジン本体１０における複数の気筒１１ａの内、１つの気筒１１ａのみを図示している。
【００５７】
エンジン本体１１の各気筒１１ａには、ピストン１４が上下方向に往復動可能なように設けられている。そして、各ピストン１４の冠面には、下方に凹入したキャビティが形成されている。
【００５８】
各ピストン１４は、下部において、コンロッド１４ｂを介してクランクシャフト１５に連結されている。クランクシャフト１５は、各ピストン１４の上下方向への往復動により、図１の紙面に垂直な方向に延伸する中心軸回りに回転する。
【００５９】
クランクシャフト１５には、当該クランクシャフト１５と一体に回転するクランクプレート１９が取り付けられている。そして、エンジン本体１０には、クランクプレート１９の回転角を検出するためのクランク角センサ（エンジン回転数センサ）ＳＮＳ１が設けられている。これらについては、後述する。
【００６０】
シリンダヘッド１２には、各気筒１１ａの燃焼室１４ａに開口する吸気ポート１６及び排気ポート１７が形成されている。また、シリンダヘッド１２には、吸気ポート１６の開閉を行う吸気バルブ２１と、排気ポート１７の開閉を行う排気バルブ２２と、が設けられている。
【００６１】
また、シリンダヘッド１２には、燃焼室１４ａに対して燃料を噴射するインジェクタ１８が各気筒１１ａごとに設けられている。本実施形態では、エンジン本体１０としてディーゼルエンジンを採用しているので、インジェクタ１８からは、燃焼室１４ａに対して軽油を主成分とする燃料が噴射される。
【００６２】
インジェクタ１８は、その先端に備わる噴口（燃料の噴射口）がピストン１４の冠面のキャビティに臨むように配置されており、圧縮上死点（圧縮行程の終了点）の前後にわたる所定の期間中のタイミングに、燃焼室１４ａに対して燃料を噴射する。
【００６３】
図１に示すように、エンジン本体１０の吸気ポート１６には、吸気通路３０が接続されている。また、エンジン本体１０の排気ポート１７には、排気通路４０が接続されている。吸気通路３０及び排気通路４０は、それぞれエンジン本体１０の側壁部分に接合されている。
【００６４】
エンジン本体１０の燃焼室１４ａに対しては、外部から取り込まれた吸入空気が吸気通路３０及び吸気ポート１６を通して導入される。また、燃焼室１４ａからは、当該燃焼室１４ａで生成された燃焼ガス（排気ガス）が排気ポート１７及び排気通路４０を通して排出される。
【００６５】
吸気通路３０中及び排気通路４０中には、第１ターボ過給機６１及び第２ターボ過給機６２が介設されている。
【００６６】
第１ターボ過給機６１は、吸気通路３０中に配設されたコンプレッサ６１ａと、当該コンプレッサ６１ａと同軸で連結され、排気通路４０中に配設されたタービン６１ｂと、を有している。同様に、第２ターボ過給機６２は、吸気通路３０中に配設されたコンプレッサ６２ａと、当該コンプレッサ６２ａと同軸で連結され、排気通路４０中に配設されたタービン６２ｂと、を有している。
【００６７】
第１ターボ過給機６１は、そのコンプレッサ６１ａ及びタービン６１ｂが、第２ターボ過給機６２のコンプレッサ６２ａ及びタービン６２ｂよりも大きなサイズとなっている。即ち、吸気上流側に配置されている第１ターボ過給機６１は、吸気下流側に配置されている第２ターボ過給機６２よりも大型の過給機が採用されている。
【００６８】
第１ターボ過給機６１及び第２ターボ過給機６２は、排気エネルギーにより駆動され、吸入空気を圧縮する。即ち、エンジン１の運転中において、排気通路４０を高温・高速の排気ガスが通過した場合には、その排気ガスのエネルギーにより各ターボ過給機６１，６２のタービン６１ｂ，６２ｂが回転し、これにより同軸で連結されたコンプレッサ６１ａ，６２ａが回転する。吸気通路３０を通り導入される空気は、タービン６１ａ，６２ａの回転に伴って圧縮されて高圧化される。そして、高圧化された空気がエンジン本体１０の燃焼室１４ａへと送り込まれる。
【００６９】
吸気通路３０は、吸気バイパス通路６３を有している。吸気バイパス通路６３は、第２ターボ過給機６２のコンプレッサ６２ａをバイパスするための経路である。吸気バイパス通路６３には、開閉可能な吸気バイパスバルブ６３ａが設けられている。
【００７０】
吸気通路３０の上流端部には、エアクリーナー３１が設けられている。エアクリーナー３１は、吸気通路３０に取り込む空気を濾過するものである。
【００７１】
吸気通路３０には、第２ターボ過給機６２よりも吸気下流側に、インタークーラー３５及び吸気シャッターバルブ３６が順に設けられている。インタークーラー３５は、第１ターボ過給機６１及び第２ターボ過給機６２により圧縮された空気を冷却するためのものである。吸気シャッターバルブ３６は、エンジン本体１０の運転中には基本的に全開若しくはそれに近い開度に維持され、エンジン本体１０の停止時等の必要時にのみ閉弁される。
【００７２】
吸気通路３０は、吸気下流端部にサージタンク３３を有する。なお、詳細な図示をしていないが、吸気通路３０において、サージタンク３３よりも吸気下流側は、気筒１１ａごとに分岐した独立通路となっており、各独立通路の下流端が各気筒１１ａの吸気ポート１６にそれぞれ接続されている。
【００７３】
排気通路４０は、第１排気バイパス通路６５と、第２排気バイパス通路６６と、を有する。第１排気バイパス通路６５は、第２ターボ過給機６２のタービン６２ｂをバイパスするための通路である。第２排気バイパス通路６６は、第１ターボ過給機６１のタービン６１ｂをバイパスするための通路である。
【００７４】
第１排気バイパス通路６５には、開閉可能なレギュレートバルブ６５ａが設けられている。第２排気バイパス通路６６には、同じく開閉可能なウェストゲートバルブ６６ａが設けられている。
【００７５】
排気通路４０には、第１ターボ過給機６１のタービン６１ｂよりも排気下流側に排気浄化装置４１が設けられている。排気浄化装置４１よりも排気下流側には、図示を省略している排気サイレンサが設けられている。
【００７６】
排気浄化装置４１は、ＤＯＣ（Ｄｉｅｓｅｌ  Ｏｘｉｄａｔｉｏｎ  Ｃａｔａｌｙｓｔ）４１ａと、ＤＰＦ（Ｄｉｅｓｅｌ  Ｐａｒｔｉｃｕｌａｔｅ  Ｆｉｌｔｅｒ）４１ｂとの組み合わせにより構成されている。ＤＯＣ４１ａとＤＰＦ４１ｂとは、排気の流れ方向に直列に配置されており、ＤＯＣ４１ａがＤＰＦ４１ｂに対して排気上流側に配置されている。ＤＯＣ４１ａは、通過する排気ガス中の一酸化炭素（ＣＯ）や炭化水素（ＨＣ）を酸化するものであり、ＤＰＦ４１ｂは、通過する排気ガス中に含まれる煤等の粒子状物質を捕集するものである。
【００７７】
詳細な図示をしていないが、排気通路４０において、第１排気バイパス通路６５の排気上流側の分岐点よりも上流側は、排気マニホールドとなっている。排気マニホールドは、各気筒１１ａの排気ポート１７に接続される独立通路部と、各独立通路部が集合する集合部とを含み構成されている。
【００７８】
吸気通路３０におけるサージタンク３０の吸気上流側の箇所と、排気通路４０における第２ターボ過給機６２のタービン６２ｂの排気上流側の箇所と、の間には、ＥＧＲ通路５１が設けられている。ＥＧＲ通路５１には、当該ＥＧＲ通路５１内を流通するＥＧＲガスを冷却するためのＥＧＲクーラ５２と、ＥＧＲ通路５１内のＥＧＲガスの流通量（排気ガスの還流量）を調整するためのＥＧＲバルブ５１ａが設けられている。
【００７９】
また、ＥＧＲ通路５１に対しては、ＥＧＲバイパス通路５３が並列に設けられている。ＥＧＲバイパス通路５３は、ＥＧＲクーラ５２をバイパスするための通路であって、ＥＧＲバイパスバルブ５３ａが設けられている。
【００８０】
図１に示すように、エンジン１には、当該エンジン１から各種センサ情報を取得し、各バルブ等を制御するＰＣＭ（Ｐｏｗｅｒｔｒａｉｎ  Ｃｏｎｔｒｏｌ  Ｍｏｄｕｌｅ）２が付設されている。ＰＣＭ２は、ＣＰＵ、メモリ、カウンタタイマ類、及びＩ／Ｆ等を有するマイクロプロセッサにより構成されている。
【００８１】
２．制御システム
本実施形態に係るエンジン１を制御するための制御システムについて、図２を用い説明する。
【００８２】
図２に示すように、エンジン１の制御部であるＰＣＭ２には、クランク角センサ（エンジン回転数センサ）ＳＮＳ１からのクランク角速度情報、吸気圧センサＳＮＳ２からの吸気圧情報、車速センサＳＮＳ３からの車速情報、ブレーキ圧センサＳＮＳ４からのブレーキ圧情報、ギヤポジションセンサＳＮＳ５からのギヤポジション情報、水温センサＳＮＳ６からの水温情報、油圧センサＳＮＳ７からの油圧情報、吸気シャッターバルブポジションセンサＳＮＳ８からのシャッターバルブポジション情報、ＥＧＲバルブポジションセンサＳＮＳ９からのＥＧＲバルブポジション情報を取得する。
【００８３】
なお、図２では、図示を省略しているが、ＰＣＭ２は、アクセル開度に関する情報についても取得するようになっている。
【００８４】
ＰＣＭ２は、取得した上記各センサ情報に基づいて、燃料噴射弁３７の弁開度、吸気シャッターバルブ３６の弁開度、トルクコンバータを含む変速機３、及びＥＧＲバルブ５１ａを含むエンジン１の各種制御を実行する。
【００８５】
３．エンジン本体１０における吸気バルブ２１周りの構成
エンジン本体１０における吸気バルブ２１周りの構成について、図３を用い説明する。
【００８６】
図３に示すように、エンジン本体１０の燃焼室１４ａに対しては、吸気ポート１６と排気ポート１７とが連通されている。吸気ポート１６と燃焼室１４ａとの間には、その間の開閉を行う吸気バルブ２１が設けられている。また、排気ポート１７と燃焼室１４ａとの間には、その間の開閉を行う排気バルブ２２が設けられている。
【００８７】
図３の拡大部分に示すように、吸気バルブ２１は、弁体であるバルブ傘部２１ａと、軸体であるバルブ軸部２１ｂとが一体形成されている。そして、吸気バルブ２１が閉じた状態では、バルブ傘部２１ａの外周部がシリンダヘッド１２のバルブシート１２ａに気密に当接することとなる。
【００８８】
ところで、吸気通路３０の内壁面に付着したデポジットが、何らかの拍子に剥がれ、燃焼室１４ａ方向に流れることがある。流れてきたデポジットは、その一部が吸気バルブ２１のバルブ傘部２１ａとバルブシート１２ａとの間に噛み込むことが生じ得る。また、同様に、排気バルブ２２とバルブシートとの間にデポジットが噛み込むことも生じ得る。
【００８９】
上記のように、吸気バルブ２１や排気バルブ２２とバルブシート１２ａとの間にデポジットが噛み込んだ場合には、圧縮漏れが生じ、着火不良の原因となる。そして、圧縮漏れが生じた状態でエンジンを停止した場合には、再始動が困難となる場合も生じ得る。
【００９０】
４．クランクプレート１９の構成とクランク角速度情報の検出
クランクプレート１９の構成とクランク角速度情報の検出について、図４及び図５を用い説明する。図４は、クランクプレート１９の構成を示す模式斜視図である。図５は、クランク角センサＳＮＳ１から入力されるパルス信号をクランク角の変化軸上で示す図である。
【００９１】
先ず、図４に示すように、クランクプレート１９は、円環状のプレートであって、クランクシャフト１５と一体に軸芯Ａｘ１５回りに回転する。クランクプレート１９の外周部分には、径方向外向きに複数の歯部１９ａが突出形成されている。ただし、周方向の一部には、歯部１９ａが形成されていない歯欠け部１９ｂが設けられている（矢印Ａで指し示す部分）。
【００９２】
なお、本実施形態に係るクランクプレート１９においては、歯部１９ａが６°間隔で設けられている。即ち、クランク角センサＳＮＳ１が５つの歯部１９ａを検出することにより、クランクシャフト１５が３０°ＣＡを検出することになる。
【００９３】
次に、図５に示すように、クランク角センサＳＮＳ１から入力されるパルス信号は、３０°ＣＡごとに、区間（クランク角範囲）Ｉｎｔ１〜Ｉｎｔ７，・・に区切られる。そして、各期間Ｉｎｔ１〜Ｉｎｔ７，・・の通過に要する時間Ｔ１〜Ｔ７，・・がＰＣＭ２で演算される。
【００９４】
なお、図５に示すように、本実施形態では、区間Ｉｎｔ５中に圧縮上死点（ＴＤＣ；Ｔｏｐ  Ｄｅａｄ  Ｃｅｎｔｅｒ）が含まれている。また、図５では図示していないが、圧縮下死点（ＢＤＣ；Ｂｏｔｔｏｍ  Ｄｅａｄ  Ｃｅｎｔｅｒ）は、圧縮上死点ＴＤＣに対して１８０°ＣＡずれた位置に設定されている。
【００９５】
ここで、ＰＣＭ２において、燃料噴射量の算出は、区間Ｉｎｔ１の終了タイミング（区間Ｉｎｔ２の開始タイミング）で行われるようになっている。
【００９６】
また、吸気バルブ２１や排気バルブ２２とバルブシート１２ａとの間へのデポジットの噛み込みがなく、圧縮漏れがない状態では、圧縮上死点ＴＤＣを含む区間Ｉｎｔ５の通過に要する時間Ｔ５は、その後の区間、例えば、区間Ｉｎｔ７の通過に要する時間Ｔ７よりも長くなる。即ち、［数１］の関係を満たす。
【００９７】
［数１］Ｔ５＞Ｔ７
これは、区間Ｉｎｔ５においては、圧縮漏れがなく気筒１１ａの筒内圧が高くなるためにピストン１４の上昇速度が遅くなることによるものである。
【００９８】
一方、吸気バルブ２１や排気バルブ２２とバルブシート１２ａとの間へのデポジットの噛み込みが発生し、圧縮漏れが生じている状態では、時間Ｔ５と時間Ｔ７との比が“１”に近付くこととなる。
【００９９】
本実施形態において、ＰＣＭ２は、クランク角センサＳＮＳ１からのクランク角速度情報に基づき、時間Ｔ５と時間Ｔ７との比率が、予め設定された閾値（通常時よりも“１”に近い値）に近付いた場合に、吸気バルブ２１や排気バルブ２２とバルブシート１２ａとの間へのデポジットの噛み込みが発生していると判定する。
【０１００】
５．ＰＣＭ２によるデポジット付着判定とデポジット除去制御
ＰＣＭ２によるデポジット付着判定及びデポジット除去の具体的な方法について、図６を用い説明する。図６は、ＰＣＭ２が実行するデポジット付着判定及びデポジット除去の各制御方法を示すフローチャートである。
【０１０１】
図６に示すように、ＰＣＭ２は、先ず、上記のように各センサＳＮＳ１〜ＳＮＳ９からのセンサ情報を含む複数のセンサ情報を逐次取得する（ステップＳ１）。次に、ＰＣＭ２は、車両の走行中において、アクセルオフに伴うフューエルカット（燃料噴射を停止）中か否かを判断する（ステップＳ２）。
【０１０２】
なお、平坦路においては、車両の走行中にフューエルカットが実行されると、車両は減速することになる。ただし、下り坂などでは、必ずしも減速しない場合もあるが、ステップＳ２では、車両が必ずしも減速していない場合も含めてフューエルカットが実行されているか否かを判断する。
【０１０３】
次に、ＰＣＭ２は、ステップＳ２の判断において、フューエルカット中であると判断した場合には（ステップＳ２；Ｙｅｓ）、気筒１１ａにおける筒内圧縮状態を検出する（ステップＳ３）。この検出は、上記のように、クランク角速度情報に基づき、区間Ｉｎｔ５の通過に要する時間Ｔ５と区間Ｉｎｔ７の通過に要する時間Ｔ７との比を用い実行される。さらに具体的には、値（Ｔ５／Ｔ７）を算出することで筒内圧縮状態を検出する。
【０１０４】
ＰＣＭ２は、上記ステップＳ３で求めた値（Ｔ５／Ｔ７）を、予め設定された閾値と比較する（ステップＳ４）。そして、ＰＣＭ２は、ステップＳ４での比較により吸気バルブ２１及び排気バルブ２２とバルブシート１２ａとの間へのデポジットの噛み込みがあると判定した場合には（ステップＳ５；Ｙｅｓ）、“デポジットの付着あり“とのカウント（ｍ←ｍ＋１）を行う（ステップＳ６）。
【０１０５】
ＰＣＭ２は、ステップＳ６の後に、カウント値ｍが予め設定された所定の回数Ｍ以上であるか否かを判定する（ステップＳ７）。なお、所定の回数Ｍは、エンジン１の構成などを考慮の上、実験的あるいは経験的に設定された値である。
【０１０６】
ＰＣＭ２は、ステップＳ７において、“ｍ≧Ｍ”であると判定した場合には（ステップＳ７；Ｙｅｓ）、デポジット除去実行フラグをセットし（ステップＳ８）、デポジット除去制御を実行する（ステップＳ８〜ステップＳ１３）。
【０１０７】
ＰＣＭ２は、デポジット除去制御の１つとして、ロックアップ解除回転数をＲＬ０からＲＬ１に変更する（ステップＳ９）。通常のロックアップ解除回転数ＲＬ０よりも低い回転数ＲＬ１までロックアップ状態を維持し、これにより車輪の回転を利用してエンジン本体１０の運転（クランクシャフト１５の回転）を維持することで、噛み込んだデポジットを押し潰す（除去する）機会を増大させることができる。
【０１０８】
なお、ＲＬＯは、例えば１２００ｒｐｍ程度であり、それに対して、ＲＬ１は、例えば、９００ｒｐｍ程度である。
【０１０９】
また、ＰＣＭ２は、デポジット除去制御の他の方法として、フューエルカット復帰回転数をＲＦ０からＲＦ１に変更する（ステップＳ１０）。このように、通常のフューエルカット復帰回転数ＲＦ０よりも高いＲＦ１とすることにより、フューエルカットの実行可能な時間を短くすることができ、これによって燃焼室１４ａにおける燃焼圧を利用してデポジットを押し潰す（除去する）機会を増大させることができる。
【０１１０】
なお、ＲＦ０は、例えば９００ｒｐｍ程度であり、ＲＦ１は、例えば、１２００ｒｐｍ程度である。
【０１１１】
また、ＰＣＭ２は、デポジット除去制御の他の方法として、アイドルストップを禁止する（ステップＳ１１）。これにより、アイドルストップを禁止することにより、圧縮漏れに起因するエンジン１の再始動失敗を抑制できるとともに、燃焼室１４ａにおける燃焼圧を利用してデポジットの除去を行うことができる。ステップ１１におけるアイドルストップの禁止によるデポジット除去制御の詳細については、後述する。
【０１１２】
また、ＰＣＭ２は、デポジット除去制御の他の方法として、吸気シャッターバルブ３６の開度を、通常の開度ＯＶ０よりも大きいＯＶ１に変更する（ステップＳ１２）。このように、吸気シャッターバルブ３６の開度を通常よりも大きいＯＶ１に変更することで、気筒１１ａにおける筒内圧を高めることができ、デポジットを押し潰す（除去する）ことができる可能性を高めることができる。
【０１１３】
また、ＰＣＭ２は、デポジット除去制御の他の方法として、ＥＧＲバルブ５１ａの弁開度を、通常の開度ＯＥ０よりも小さいＯＥ１に変更する（ステップＳ１３）。このように、ＥＧＲバルブ５１ａの弁開度を通常よりも小さいＯＥ１に変更することで、吸気圧を高め吸気流速を利用して付着したデポジットを剥すことができる。また、ＥＧＲバルブ５１ａの弁開度をＯＥ１とすることにより、気筒１１ａにおける筒内圧を高めることもでき、吸気バルブ２１の閉弁中においてもデポジットを押し潰す（除去する）ことが可能となる。
【０１１４】
なお、図１を用い説明したように、本実施形態に係るエンジン１では、ＥＧＲバイパス通路５３も設けられているため、当該ＥＧＲバイパス通路５３に設けられたＥＧＲバイパスバルブ５３ａについても、その開度を小さくすることが望ましい。これにより、より一層効果的にデポジットを押し潰すことができる。
【０１１５】
図６のフローチャートにおいては、ステップＳ９〜ステップＳ１３を順序付けて図示しているが、実際には、ＰＣＭ２がステップＳ７で“Ｙｅｓ”と判定すれば、ステップＳ９〜ステップＳ１３の各デポジット除去制御を同時並行的に実施する。
【０１１６】
次に、ＰＣＭ２は、ステップＳ７で“Ｎｏ”と判定した場合には、リターンする。
【０１１７】
また、ＰＣＭ２は、ステップＳ５で“Ｎｏ”と判定した場合、即ち、吸気バルブ２１及び排気バルブ２２とバルブシート１２ａとの間へのデポジットの噛み込みがないと判定した場合には、“デポジットの付着なし“とのカウント（ｎ←ｎ＋１）を行う（ステップＳ１４）。
【０１１８】
ＰＣＭ２は、ステップＳ１４の後に、カウント値ｎが予め設定された所定の回数Ｎ以上であるか否かを判定する（ステップＳ１５）。なお、所定の回数Ｎについても、エンジン１の構成などを考慮の上、実験的あるいは経験的に設定された値である。
【０１１９】
ＰＣＭ２は、ステップＳ１５において、“ｎ≧Ｎ”であると判定した場合には（ステップＳ１５；Ｙｅｓ）、デポジット除去実行フラグをリセットし（ステップＳ１６）、デポジット除去制御を停止し、各種変更条件を元の条件へと復帰させる（ステップＳ１７〜ステップＳ２１）。
【０１２０】
具体的には、ロックアップ解除回転数をＲＬ１からＲＬ０へと戻し（ステップＳ１７）、フューエルカット復帰回転数をＲＦ１からＲＦ０へと戻し（ステップＳ１８）、アイドルストップ禁止を解除し（ステップＳ１９）、吸気シャッターバルブ開度をＯＶ１からＯＶ０へと戻し（ステップＳ２０）、ＥＧＲバルブ開度をＯＥ１からＯＥ０へと戻す（ステップＳ２１）。
【０１２１】
なお、デポジット除去制御の実行により、ＥＧＲバイパスバルブ５３ａの弁開度を小さくしていた場合には、当該ＥＧＲバイパスバルブ５３ａの弁開度も元の開度へと復帰させる。
【０１２２】
ＰＣＭ２は、ステップＳ１５で“Ｎｏ”と判定した場合には、リターンする。
【０１２３】
また、ＰＣＭ２は、ステップＳ２で“Ｎｏ”と判定した場合、即ち、エンジン１がフューエルカット中ではないと判定した場合には、デポジット除去制御が実行中であるか否かを判定する（ステップＳ２２）。デポジット除去制御の実行中であると判定した場合には（ステップＳ２２；Ｙｅｓ）、車両の車速ｖが予め設定された閾値以上であるか否かを判定する（ステップＳ２３）。
【０１２４】
ＰＣＭ２は、ステップＳ２３において、“ｖ≧Ｖ”であると判定した場合には、ステップＳ１６からステップＳ２１を実行する。即ち、ステップＳ２３で“Ｙｅｓ”と判定した場合には、既にデポジットの除去がなされたものとみなし、デポジット除去実行フラグをリセットし（ステップＳ１６）、デポジット除去制御を停止し、各種変更条件を元の条件へと復帰させる（ステップＳ１７〜ステップＳ２１）。
【０１２５】
これは、エンジン１がフューエルカット中ではなく、且つ、車速ｖが予め設定された所定の速度Ｖ以上である場合には、燃焼走行によりデポジットは除去されたものとみなせるためである。なお、所定の速度Ｖは、実験的又は経験的に設定された値であり、例えば、４０ｋｍ／ｈ程度とすることができる。ただし、エンジン１の種類などにより、適宜の変更が可能である。
【０１２６】
ＰＣＭ２は、ステップＳ２２及びステップＳ２３で“Ｎｏ”と判定した場合には、リターンする。
【０１２７】
６．デポジット除去制御の具体例
本実施形態に係るＰＣＭ２によるデポジット除去制御の具体例について、図７及び図８を用い説明する。図７は、実施例１に係るエンジンの制御において、アイドルストップ制御と燃料噴射量等との関係を示すタイミングチャートである。図８は、実施例２に係るエンジン１の制御において、アイドルストップ制御と燃料噴射量等との関係を示すタイミングチャートである。
【０１２８】
《実施例１》
先ず、実施例１に係るタイムチャートについて、図７を用い説明する。実施例１は、吸気バルブ２１及び排気バルブ２２とバルブシート１２ａとの間にデポジットが噛み込んでいない場合を想定している。
【０１２９】
図７に示すように、タイミングｔ１において、ドライバがアクセルオフし、アクセル開度が略ゼロまで低下する。それとともに燃料噴射量がタイミングｔ２に向かって漸減してゆく。燃料噴射は、タイミングｔ２においてカットされる。即ち、タイミングｔ２において、燃料噴射量がゼロとなる。燃料噴射量がゼロになると、クランク角速度比（Ｔ５／Ｔ７）が安定するようになる。そして、燃料噴射量がゼロとなったタイミングｔ２から、ＰＣＭ２は、デポジット付着判定を開始する。即ち、本実施形態に係るＰＣＭ２は、燃料噴射量がゼロの状態が継続している期間中、デポジット付着判定を実行する。
【０１３０】
タイミングｔ３において、ＰＣＭ２は、デポジットが噛み込んでいないと判定する。ここで、タイミングｔ２からタイミングｔ３までの間におけるＰＣＭ２によるデポジット付着の有無の判定は、上述のように、クランク角速度比（Ｔ５／Ｔ７）が、予め設定された閾値ＲＡｔｈ以下であるか否かにより行われる。即ち、クランク角速度比（Ｔ５／Ｔ７）が、予め設定された閾値ＲＡｔｈ以下である場合には、デポジットが付着していると判定し、閾値ＲＡｔｈよりも大きい場合には、デポジットが付着していないと判定する。図7に示すように、デポジットが付着していない実施例１では、クランク角速度比（Ｔ５／Ｔ７）は、閾値ＲＡｔｈよりも大きい。
【０１３１】
なお、上述のように、閾値ＲＡｔｈは、“１”よりも少し大きい値とすることができる。詳細な値については、エンジンの特性等を考慮して規定することが可能である。
【０１３２】
図７に示す実施例１では、デポジットの噛み込みの有無を判定し、その結果、噛み込みがないと判定しているので、デポジット付着判定に係るフラグは“０”のままである。このため、実施例１では、アイドルストップ制御について、“許可”の状態が維持される。
【０１３３】
次に、エンジン回転数が所定の回転数ＲＥ１以下になったタイミングｔ４において、エンジンストール防止のために一旦燃料噴射が復帰する（矢印Ｂで指し示す部分を参照）。なお、回転数ＲＥ１は、例えば、９００ｒｐｍ程度である。
【０１３４】
そして、タイミングｔ５において、車速が“０”になると（車両が停車すると）、燃料噴射が停止され、エンジン回転数も“０”となる。そして、タイミングｔ５以降、ドライバのアクセルオンに備える。
【０１３５】
《実施例２》
次に、実施例２に係るタイムチャートについて、図８を用い説明する。実施例２では、吸気バルブ２１及び排気バルブ２２の少なくとも一方と、バルブシート１２ａとの間にデポジットが噛み込んでいる場合を想定している。
【０１３６】
図８に示すように、実施例２では、タイミングｔ１０において、既にデポジットの噛み込みが発生している。
【０１３７】
次に、タイミングｔ１１において、ドライバがアクセルオフすると、アクセル開度が略ゼロまで低下し、上記実施例１と同様に、燃料噴射量がタイミングｔ１２に向かって漸減してゆく。そして、燃料噴射は、タイミングｔ１２においてカットされ、料噴射量がゼロとなる。上記同様に、ＰＣＭ２は、タイミングｔ１２からデポジット付着判定を開始し、タイミングｔ１３でデポジットの噛み込み有りと判定する。なお、上記同様に、本実施例でも、燃料噴射量がゼロ（フューエルカット）の状態でデポジットの噛み込みの有無を判定するので、トルク変動の影響を受けず、高い精度での判定が可能である。
【０１３８】
タイミングｔ１２からタイミングｔ１３に間の期間においてＰＣＭ２が実行するデポジット付着判定は、上記実施例１と同様に、クランク角速度比（Ｔ５／Ｔ７）が、予め設定された閾値ＲＡｔｈ以下であるか否かにより行われる。図８に示すように、デポジットが付着している本例では、クランク角速度比（Ｔ５／Ｔ７）は、閾値ＲＡｔｈ以下となっている。
【０１３９】
図８に示すように、ＰＣＭ２は、デポジットの噛み込み有りと判定した場合に、デポジット付着判定に係るフラグを“１”にセットし、アイドルストップ制御について、“禁止”の状態とする。
【０１４０】
次に、エンジン回転数が所定の回転数ＲＥ２以下になったタイミングｔ１４において、一旦燃料噴射を復帰させる（矢印Ｃで指し示す部分を参照）。なお、回転数ＲＥ２は、例えば、１２００ｒｐｍ程度であって、上記実施例１の回転数ＲＥ１よりも高い値である（ＲＥ２＞ＲＥ１）。
【０１４１】
そして、タイミングｔ１５において、車両が停車し、車速が“０”となる。本例においては、車速が“０”になった後も、フラグが“１”の状態であるので、燃料噴射が継続される（矢印Ｃで指し示す部分を参照）。そして、デポジットの除去が完了したタイミングｔ１６において、ＰＣＭ２は、フラグを“０”にリセットし、アイドルストップ制御について、“許可”とする。これにより、燃料噴射が停止され、エンジン回転数も“０”となる。そして、タイミングｔ１６以降、ドライバのアクセルオンに備える。
【０１４２】
７．効果
本実施形態では、図８に示す実施例２のように、ＰＣＭ２が、デポジットの噛み込み有りと判定した場合に、アイドルストップの実行を抑制し、エンジン１の回転状態を維持することとしているので、エンジン本体１０の筒内圧を利用してデポジットの除去が可能である。
【０１４３】
また、本実施形態では、ＰＣＭ２が、デポジットの噛み込み有りと判定した場合に、アイドルストップの実行を抑制し、エンジン本体１０の停止を抑制し、エンジン本体１０の停止までの間にデポジットの除去を図ることとしているので、エンジン本体１０を停止後、再始動する際の始動性を良好なものとすることができる。即ち、デポジットを噛み込んだ状態でエンジン本体１０を停止してしまうと、圧縮漏れを生じた状態で再始動を図ることとなり、再始動性が低下したり、再始動できなったりするおそれがある。
【０１４４】
これに対して、本実施形態では、ＰＣＭ２が、アイドルストップの実行を抑制してデポジット除去を図った後に、エンジン本体１０を停止することができ、圧縮漏れによるエンジンの再始動性の低下を抑制することができる。
【０１４５】
従って、本実施形態では、吸気バルブ２１及び排気バルブ２２の少なくとも一方と、バルブシート１２ａとの間にデポジットが噛み込んだ場合にあっても、エンジン本体１０の停止前に当該デポジットを除去することができる。
【０１４６】
また、本実施形態では、ＰＣＭ２が、クランク角センサＳＮＳ１からのクランク角速度情報に基づいてデポジットの噛み込みの有無を判定するので、高い精度でのデポジット噛み込み判定が実行できる。即ち、気筒内に設けた圧力センサからの圧力情報に基づきデポジットの噛み込みの有無を判定する場合などに比べて、本実施形態では、微小なデポジットが噛み込んだ場合にも高精度に判定がなされる。
【０１４７】
また、本実施形態では、ＰＣＭ２が、燃料噴射弁３７の閉状態が継続中であるときに取得したクランク角速度比（Ｔ５／Ｔ７）を用いデポジットの噛み込みの有無を判定するので、燃焼によるトルク変動の影響を受けず、微小量のデポジットであっても高精度に検出することができる。ここで、微小量のデポジットの有無を検出できれば、早期にデポジット除去を実行することにより、圧縮漏れによる着火不良を未然に防ぐことができる。このような微小量のデポジットを検出するためには、燃焼によるトルク変動の影響を抑えるか無くすことが重要となる。この点において、本実施形態は、優れている。
【０１４８】
また、本実施形態では、図８に示す実施例２のように、ＰＣＭ２が、デポジットの噛み込み有りと判定した場合に、アイドルストップの実行を禁止することとしているので、噛み込んでしまったデポジットを燃焼圧（筒内圧）により押し潰す機会を増やすことができる。よって、本実施形態の一例では、デポジットの除去をより確実に行うことができ、圧縮不良による再始動失敗を抑制することができる。
【０１４９】
また、本実施形態では、ＰＣＭ２が、デポジットの噛み込み有りと判定した場合に、当該デポジットが除去されたと判定しない限り、デポジットの噛み込みの有無の判定を連続的又は断続的に継続するので、累積的に付着するデポジットについても早期に検出することができ、圧縮不良による再始動失敗を抑制することができる。
【０１５０】
また、本実施形態では、図７に示す実施例１のように、ＰＣＭ２が、デポジットの噛み込み無しと判定した場合に、アイドルストップの実行を許可するので、燃費性能の向上、及び環境負荷の低減を図ることができる。
【０１５１】
また、本実施形態では、図８に示す実施例２のように、ＰＣＭ２が、デポジットの噛み込み有りと判定した場合において、エンジン回転数がＲＥ２（実施例１のＲＥ１よりも高い回転数）まで低下したタイミングｔ１４でフューエルカットの解除を実行する。即ち、本実施形態における実施例２では、ＰＣＭ２が、デポジットの噛み込み有りと判定した場合に、フューエルカットからの復帰タイミングをデポジットの付着がない場合よりも高いエンジン回転数ＲＥ２で行い、そのタイミングを早める。これにより、燃焼圧（筒内圧）によるデポジットの押し潰しを図る機会を増やすことができる。よって、本実施形態では、圧縮不良による再始動失敗をさらに確実に抑制することができる。
【０１５２】
［実施形態２］
実施形態２に係るＰＣＭによるデポジット除去制御の具体例について、図９及び図１０を用い説明する。図９は、実施例３に係るエンジンの制御において、アイドルストップ制御と燃料噴射量等との関係を示すタイミングチャートである。図１０は、実施例４に係るエンジン１の制御において、アイドルストップ制御と燃料噴射量等との関係を示すタイミングチャートである。
【０１５３】
なお、本実施形態に係るエンジンの基本的な構成、及びシステム構成については、上記実施形態１と同じであるので、重ねての説明を省略する。
【０１５４】
《実施例３》
実施例３に係るタイムチャートについて、図９を用い説明する。実施例３についても、上記実施例１と同様に、吸気バルブ２１及び排気バルブ２２とバルブシート１２ａとの間にデポジットが噛み込んでいない場合を想定している。
【０１５５】
図９に示すように、タイミングｔ２１において、ドライバがアクセルオフし、アクセル開度が略ゼロまで低下する。それとともに燃料噴射量がタイミングｔ２２に向かって漸減してゆく。燃料噴射は、タイミングｔ２２においてカットされ、燃料噴射量がゼロとなる。
【０１５６】
タイミングｔ２２において、燃料噴射がカット（フューエルカット）されることにより、クランク角速度比（Ｔ５／Ｔ７）が安定するようになる。そして、燃料噴射量がゼロとなったタイミングｔ２２からデポジット付着判定を開始し、ＰＣＭは、タイミングｔ２３において、デポジットの噛み込み無しとの判定を下す。
【０１５７】
なお、タイミングｔ２２からタイミングｔ２３の間の期間にＰＣＭが実行するデポジット付着判定は、上述のように、クランク角速度比（Ｔ５／Ｔ７）が、予め設定された閾値ＲＡｔｈ以下であるか否かにより行われる。
【０１５８】
図９に示す実施例３では、上記実施例１と同様に、デポジットの噛み込みの有無の判定の結果、タイミングｔ２３で噛み込み無しと判定し、デポジット付着判定に係るフラグは“０”のままである。このため、実施例３では、アイドルストップ制御について、“第１所定車速ＶＩＳ１”でのアイドルストップを規定した状態が維持される。
【０１５９】
なお、本実施例においては、所謂、有車速アイドルストップ制御を実行する。具体的には、ドライバがアクセルオフして車両が減速する場合に、所定の車速（第１所定車速ＶＩＳ１）まで減速した時にアイドルストップが実行される。なお、第１所定車速ＶＩＳ１は、例えば、１０ｋｍ／ｈとすることができる。
【０１６０】
図９に戻って、エンジン回転数が所定の回転数ＲＥ３以下になったタイミングｔ２４において、エンジンストール防止のために一旦燃料噴射が復帰する（矢印Ｄで指し示す部分を参照）。なお、回転数ＲＥ３は、上記実施例１と同様に、例えば、９００ｒｐｍ程度である。
【０１６１】
そして、タイミングｔ２５において、車速が“第１所定車速ＶＩＳ１”になると、燃料噴射が停止され、エンジン回転数も“０”となる。そして、アイドルストップの状態のまま、タイミングｔ２６において、車速が“０”となり、車両が停止する。この後、ＰＣＭは、ドライバのアクセルオンに備える。
【０１６２】
《実施例４》
次に、実施例４に係るタイムチャートについて、図１０を用い説明する。実施例４では、吸気バルブ２１及び排気バルブ２２の少なくとも一方と、バルブシート１２ａとの間にデポジットが噛み込んでいる場合を想定している。
【０１６３】
図１０に示すように、実施例４では、タイミングｔ３０において、既にデポジットの噛み込みが発生している。
【０１６４】
タイミングｔ３１において、ドライバがアクセルオフすると、アクセル開度が略ゼロまで低下し、上記実施例３と同様に、燃料噴射量がタイミングｔ３２に向かって漸減してゆく。そして、燃料噴射は、タイミングｔ３２においてカットされ、燃料噴射量がゼロとなる。本実施例でも、当該タイミングｔ３２からデポジットの噛み込みの有無の判定がなされる。
【０１６５】
タイミングｔ３２において、燃料噴射がカットされることにより、クランク角速度比（Ｔ５／Ｔ７）が安定するようになるので、当該タイミングｔ３２からデポジット付着判定を開始し、燃料噴射量がゼロの状態が継続している期間中、デポジット付着判定を実行する。そして、ＰＣＭは、タイミングｔ３３において、デポジットの噛み込み有りと判定する。
【０１６６】
タイミングｔ３２からタイミングｔ３３までの間の期間においてＰＣＭが実行するデポジット付着判定は、上記実施例３等と同様に、クランク角速度比（Ｔ５／Ｔ７）が、予め設定された閾値ＲＡｔｈ以下であるか否かにより行われる。図１０に示すように、デポジットが付着している本例では、クランク角速度比（Ｔ５／Ｔ７）は、閾値ＲＡｔｈ以下となっている。
【０１６７】
図１０に示すように、ＰＣＭは、デポジットの噛み込み有りと判定した場合に、デポジット付着判定に係るフラグを“１”にセットし、アイドルストップ制御について、“第２所定速度ＶＩＳ２”の状態とする。第２所定速度ＶＩＳ２は、上記実施例３に係る第１所定車速ＶＩＳ１よりも低速となっている。
【０１６８】
次に、エンジン回転数が所定の回転数ＲＥ４以下になったタイミングｔ３４において、一旦燃料噴射を復帰させる（矢印Ｅで指し示す部分を参照）。なお、回転数ＲＥ４は、例えば、１２００ｒｐｍ程度であって、上記実施例３の回転数ＲＥ３よりも高い値である。
【０１６９】
そして、タイミングｔ３５において、デポジットの除去が完了するので、ＰＣＭは、デポジット付着判定のフラグを“０”にリセットし、アイドルストップ制御について、“第１所定速度ＶＩＳ１”にリセットする。これにより、燃料噴射が停止され、直後のタイミングｔ３６において、エンジン回転数も“０”となる。そして、アイドルストップの状態のまま、タイミングｔ３７において、車速が“０”となり、車両が停止する。この後、ＰＣＭは、ドライバのアクセルオンに備える。
【０１７０】
本実施形態においても、上記実施形態１と同様に、吸気バルブ２１及び排気バルブ２２の少なくとも一方と、バルブシート１２ａとの間にデポジットが噛み込んだ場合にあっても、エンジン本体１０の停止前に当該デポジットを除去することができる。
【０１７１】
また、本実施形態では、ＰＣＭが、デポジットの噛み込みが有りと判定した場合に、噛み込みがないと判定した場合のアイドルストップ実行車速（第１所定車速ＶＩＳ１）よりも低速の、第２所定車速ＶＩＳ２以下の速度域でアイドルストップを実行することとしている。即ち、本実施形態では、デポジットの噛み込みが有る場合には、より低速側までアイドルストップの実行を遅らせ（図１０の矢印Ｅで指し示す部分を参照。）、気筒１１ａ内での燃焼の機会を増やすこととしている。よって、本実施形態では、燃焼圧（筒内圧）によりデポジット除去の促進を図ることができ、圧縮不良による再始動失敗を抑制することができる。
【０１７２】
［変形例］
上記実施形態１，２では、２つのターボ過給機６１，６２を備えるエンジン１を一例としたが、本発明は、これに限定を受けるものではない。例えば、１つのターボ過給機を備える構成を採用することもできるし、ターボ過給機を備えない、所謂、自然吸気エンジンを採用することもできる。
【０１７３】
また、上記実施形態１，２，３では、ＥＧＲ通路５１やＥＧＲバイパス通路５３を備えるエンジン１を一例としたが、本発明は、これに限定を受けるものではない。即ち、ＥＧＲ通路やＥＧＲバイパス通路は、必須の構成ではない。
【０１７４】
また、上記実施形態１，２では、エンジン本体１０としてディーゼルエンジンを一例としたが、本発明は、これに限定を受けるものではない。即ち、ガソリンエンジンを採用することもできる。
【０１７５】
また、上記実施形態１，２では、ＰＣＭ２によるデポジット付着判定において、クランク角速度情報に基づく区間Ｉｎｔ１〜Ｉｎｔ７，・・の内、区間Ｉｎｔ５を通過する時間Ｔ５と区間Ｉｎｔ７を通過する時間Ｔ７とを用いてクランク角速度比（Ｔ５／Ｔ７）を算出することとしたが、本発明は、これに限定を受けるものではない。例えば、区間Ｉｎｔ３や区間Ｉｎｔ４などを通過する時間Ｔ３，Ｔ４と、区間Ｉｎｔ６や区間Ｉｎｔ７などを通過する時間Ｔ６，Ｔ７と、の比を採用することとしてもよい。
【０１７６】
また、上記実施形態１等では、図６に示すフローチャートにおいて、ステップＳ２で「減速フューエルカット中」か否かを判定することとしたが、本発明は、これに限定を受けるものではない。アクセルオフに伴うフューエルカット中であれば、「減速中」か否かは必須の要件ではない。例えば、下り坂を走行中などにもデポジット付着判定を実行することとする場合には、ステップ２として、「アクセルオフに伴うフューエルカット中」か否かを判定要件とすることができる。
【０１７７】
また、上記実施形態１等では、図６に示すフローチャートにおいて、ステップＳ１３で「ＥＧＲバルブ開度」を小さくする（又はゼロとする）こととしたが、本発明は、これに限定を受けるものではない。即ち、上記実施形態１等のようにＥＧＲバイパス通路５３を備える場合には、ＥＧＲバルブ５１ａに加え、ＥＧＲバイパスバルブ５３ａについても開度を小さくする（又はゼロとする）ことが望ましい。これにより、排気ガスの略全量がターボ過給機６１，６２のタービン６１ｂ，６２ｂが設けられた箇所を経由して排出されることとなり、より高圧の空気が吸気ポート１６に供給されることとなる。よって、デポジット除去を行う上でより望ましい。
【０１７８】
また、上記実施形態１等では、図６に示すフローチャートにおいて、ステップＳ９〜ステップＳ１３のデポジット除去制御を実行することとしたが、本発明は、これら全てを実行することは必須ではなく、あるいは、他のデポジット除去を促進できる制御を付加して実行することも可能である。
【０１７９】
また、上記実施形態１等では、ＰＣＭ２が、燃料噴射弁３７の閉状態が継続中にデポジットの噛み込みの有無を判定することとしたが、本発明は、これに限定を受けるものではない。即ち、燃料噴射弁３７の閉状態が継続中である時に取得したクランク角速度情報を用いデポジットの噛み込みの有無を判定すればよく、判定そのものについては、燃料噴射弁３７が開状態である期間に実行してもよい。
【０１８０】
また、上記実施形態１等では、ＰＣＭ２がデポジットの噛み込みの有無を判定し、その結果に基づいて、アイドルストップの実行を抑制（アイドルストップの禁止を含む。）することとしたが、本発明は、デポジットの噛み込みの有無を必ずしも判定することを要しない。即ち、ＰＣＭ２は、クランク角速度比が所定の閾値以下になったタイミングで、デポジットの噛み込みの有無を判定することなく、アイドルストップの実行を抑制することとしてもよい。
【符号の説明】
【０１８１】
１  エンジン
２  ＰＣＭ
１０  エンジン本体
１２ａ  バルブシート
１９  クランクプレート
２１  吸気バルブ
２１ａ  バルブ傘部
２２  排気バルブ
３０  吸気通路
３３  サージタンク
３６  吸気シャッターバルブ
５１ａ  ＥＧＲバルブ
６１  第１ターボ過給機
６２  第２ターボ過給機
【図１】
2018184888.tif 000003
【図２】
2018184888.tif 000004
【図３】
2018184888.tif 000005
【図４】
2018184888.tif 000006
【図５】
2018184888.tif 000007
【図６】
2018184888.tif 000008
【図７】
2018184888.tif 000009
【図８】
2018184888.tif 000010
【図９】
2018184888.tif 000011
【図１０】
2018184888.tif 000012